(57)【要約】【課題】あらゆる製品または物に、無線タグまたはＲＦ−ＩＤタグが存在し、これらが同じ周波数でＩＤ情報を送信する場合、混信を防止することができ、受信機がＩＤ情報を正確に受信することができる送信装置を提供することを目的とするものである。【解決手段】同一周波数で、非一定周期で複数回自身のＩＤ情報を送信する装置において、互いに重複しないＭ個の数字（Ｍは任意の整数）を発生する数字発生手段と、無線信号を受信する受信手段と、上記受信手段が受信した無線信号の中から、クロックを復号するクロック復号手段と、この復号したクロックをカウントするクロックカウント手段と、上記カウントされたクロックの数と上記Ｍ個の数字とが一致したときに、上記送信装置自身のＩＤ情報をＭ回送信するＩＤ情報送信手段とを有する送信装置である。【選択図】  図１
2004274252.tif 000002
【特許請求の範囲】
【請求項１】
送信装置において、
重複しないＭ個の数字（Ｍは任意の整数）を順次選択する数字選択手段と；
無線信号を受信する受信手段と；
上記受信手段が受信した無線信号の中から、相手装置から送られてきたクロックを復号するクロック復号手段と；
上記復号したクロックをカウントするクロックカウント手段と；
上記カウントされたクロックの数と上記順次選択された数字とを比較する比較手段と；
上記カウントされたクロックの数と、上記順次選択された数字とが一致したときに、上記送信装置自身の識別情報を送信するＩＤ情報送信手段と；
を有することを特徴とする送信装置。
【請求項２】
所定の送信装置にクロックと電力とを供給する信号を送信する送信手段と；
上記所定の送信装置から受信した識別情報を、記憶する記憶手段と；
上記記憶手段が記憶している識別情報を呼び出し、同一の識別を２回以上受信したことを検出する検出手段と；
上記２回以上受信した識別情報を、ＩＤ信号として出力するＩＤ信号出力手段と；
同じＩＤ信号が２個未満である場合は、エラーとして判断し、再度、上記所定の送信装置に、識別情報を送信するように命令を送信する命令送信手段と；
を有することを特徴とする受信装置。
【発明の詳細な説明】
【０００１】
【発明の属する技術分野】
本発明は、無線タグまたはＲＦ−ＩＤタグである送信装置と、ＩＤ情報を受信する受信機とに関する。
【０００２】
【従来の技術】
あらゆるものに、無線タグまたはＲＦ−ＩＤタグが入るユビキタス社会の到来が予想されている。この一例である第１の従来例は、大日本印刷が提案している「ＲＦ−ＩＤタグ付きポスター」である（特許文献１参照）。
【０００３】
上記第１の従来例は、ポスターに無線タグまたはＲＦ−ＩＤタグが埋め込まれ、ポスターを見たユーザが、そのポスターに記載されている内容に関する情報を欲する場合、そのユーザは、受信機をポスターの無線タグまたはＲＦ−ＩＤタグの方向に向け、上記ポスターのＩＤ情報を取得し、インターネットを経由して、所望の情報を入手するものである。
【０００４】
しかしながら、あらゆるポスターに無線タグあるいはＲＦ−ＩＤタグが存在するようになるユビキタス社会では、ユーザが気づかないまま、複数の無線タグ、あるいはＲＦ−ＩＤタグに囲まれた環境で生活を送ることになる。つまり、上記第１の従来例において、現在は問題にならないが、将来は、ユーザが、１枚のポスターから情報を得ようとポスターに受信機を向けると、受信機が発するＩＤ取得命令信号に反応して、上記ポスターの周辺に存在している複数の無線タグまたはＲＦ−ＩＤタグが、ＩＤ情報を送信しているので、混信することになる。つまり、上記第１の従来例では、混信を防止することができないという問題がある。
【０００５】
第２の従来例は、混信を防止するために、日本システムが提案している「忘れ物予防検知器」である（特許文献２参照）。
【０００６】
この第２の従来例は、自分の持ち物に送信機（無線タグまたはＲＦ−ＩＤタグ）を取り付け、複数の周波数（ｆ１〜ｆｎ）の内から１つを選択し、プリシンク信号を含むように、ＩＤ情報を複数回受信機側に送信する例である。受信機側は、上記プリシンク信号を複数回受信している過程で、同期を取り、送信機から送られたＩＤ情報を取得し、これによって、混信を防止している。
【０００７】
ＩＤ情報を得る場合に混信を防止するには、受信機に超指向性アンテナを取り付ける方法が考えられる。しかし、情報取得の度に、アンテナまたは本体を、無線タグまたはＲＦ−ＩＤタグの方向に向けなければならないという煩雑さが残るという問題がある。また、無線タグまたはＲＦ−ＩＤタグに電池を内蔵し、より強力なＩＤ情報発信出力を持たせるために、「Ｓｍａｒｔ  Ａｃｔｉｖｅ  Ｌａｂｅｌ  コンソーシアム」が、２００２年１１月に設立された。このような無線タグまたはＲＦ−ＩＤタグが普及すれば、送信出力が強まり、ますます混信が発生する恐れがある。
【０００８】
上記第２の従来例において、忘れ物予防検知器を必要とする場合は、空港等、非常に混雑する場所に居る場合である。上記混雑する場所では、複数の電波が飛び交うことが考えられ、ＩＤが異なってはいるが、強力な電波源が近くに存在していると、その強力な電波によって所望の送信電波がかき消され、所望の送信機のＩＤを受信することができないことがある。また、送信周波数を、受信機に合わせて固定しているので、一度に多数の無線タグまたはＲＦ−ＩＤタグから、ＩＤ情報を入手する用途には向かないという問題がある。
【０００９】
すなわち、第２の従来例においては、忘れ物をしたくない物が複数ある場合、複数の受信機を持つか、または受信機に受信周波数切り替えスイッチを設け、複数の忘れ物を検出するたびにスイッチを切り替えなければならず、煩雑であるという問題がある。
【００１０】
第３の従来例は、混信を防止するために、富士通が提案している「商品管理システム」である（特許文献３参照）。この第３の従来例は、第４の従来例であるＣＳＩＲが提案した「Ｌｏｃａｔｉｏｎ  ｏｆ  ｏｂｊｅｃｔｓ」（通称スーパータグ）（特許文献４参照）を参照したものである。
【００１１】
次に、上記第４の従来例に使用されている技術について説明する。
【００１２】
なお、第４の従来例例は、受信したＩＤと自身のＩＤとを照合する機能も盛り込まれているが、本発明には関係しない内容であるので、その説明を省略する。
【００１３】
第４の従来例は、自身が発信器を内蔵し、受信機から送られたＩＤ送信命令をタイミング信号として利用し、このタイミングに合わせて、自身の発信器クロックを作り出し、これをカウントする機能を有する。これと同時に、ＲＯＭ内に１個の数が記憶され、この数を呼び出し、カウント数とＲＯＭ内の数字とを比較し、両数が互いに一致した場合に、製品の固有情報を１度だけ発信する。
【００１４】
つまり、第４の従来例は、無線タグまたはＲＦ−ＩＤタグが、固有の遅延時間を有し、上記遅延時間が経過した後に、情報を送信する機能を有する。複数の無線タグまたはＲＦ−ＩＤタグがあっても、ＩＤ情報等を同時に送信しないことによって、混信を防止している。
【００１５】
【特許文献１】
特開２００２−１６２９１８号公報
【特許文献２】
特開平８−１６１６５３号公報
【特許文献３】
特開平８−３３５２３８号公報
【特許文献４】
米国特許第５２１４４１０号明細書
【００１６】
【発明が解決しようとする課題】
しかし、第４の従来例では、同じタイミングでＩＤ情報を送信する無線タグまたはＲＦ−ＩＤタグが近くに存在し、これによって混信が発生した場合、エラーを検出した受信機がＩＤ情報再送信命令を送信しても、混信エラーが発生するという問題がある。
【００１７】
つまり、上記第４の従来例では、ＩＤ情報を送信するタイミングが変化しないので、混信エラーが再び発生する。また、１度しかＩＤ情報を送信しないので、ノイズの多い環境下では、受信エラーが発生する確率が高いという問題がある。
【００１８】
さらに、上記第４の従来例では、タイミング信号を内部で作り、ＩＤ送信命令にタイミングを合わせるＰＬＬ回路を内蔵する分、チップサイズが大きくなり、コストもアップするという問題がある。
【００１９】
本発明は、あらゆる製品または物に無線タグまたはＲＦ−ＩＤタグが埋め込まれるなどし、複数の無線タグまたはＲＦ−ＩＤタグが存在し、これらが同じ周波数でＩＤ情報を送信する場合、混信を防止することができ、受信機がＩＤ情報を正確に受信することができる送信装置、受信装置を提供することを目的とするものである。
【００２０】
【課題を解決するための手段】
本発明は、送信装置において、互いに重複しないＭ個の数字（Ｍは任意の整数）を発生する数字発生手段と、無線信号を受信する受信手段と、上記受信手段が受信した無線信号の中から、クロックを復号するクロック復号手段と、この復号したクロックをカウントするクロックカウント手段と、上記カウントされたクロックの数と上記Ｍ個の数字とが一致したときに、上記送信装置自身のＩＤ情報をＭ回送信するＩＤ情報送信手段とを有する送信装置である。
【００２１】
【発明の実施の形態および実施例】
図１は、本発明の第１の実施例である送信装置１０を示す回路図である。
【００２２】
送信装置１０は、無線タグまたはＲＦ−ＩＤタグによって構成され、アンテナＡ１と、受信手段１１と、信号処理手段１２と、電源手段１３と、送信手段１４と、乱数発生手段１５と、記憶手段１６とを有する。
【００２３】
アンテナＡ１が、後述の図２に示す受信装置２０が送信したＩＤ送信命令を受信すると、電源手段１３が、上記受信したＩＤ送信命令に基づいて、送信装置１０の全体の回路を動作させるために必要な電力を作り、各回路に電力を供給する。上記ＩＤ送信命令は、一種の電力波であり、これを整流、平滑等することによって、直流電力を得ることができる。この整流、平滑等を、電源手段１３が実行する。
【００２４】
受信手段１１が、ＩＤ送信命令を受信し、ＩＤ送信命令に含まれているクロックを復号し、この復号されたクロックが信号処理手段１２に送られる。信号処理手段１２は、クロックをカウントするとともに、Ｍ個の乱数を発生することを、乱数発生手段１５に命令する。
【００２５】
乱数発生手段１５は、発生したＭ個の乱数を、その小さい順に、信号処理手段１２に送る。信号処理手段１２は、信号処理手段１２がカウントしているクロック数と、上記乱数とを比較し、一致した場合にのみ、記憶手段１６が記憶している送信装置１０自身の識別情報であるＩＤ情報を、信号処理手段１２に送る。信号処理手段１２は、受け取ったＩＤ情報を、送信手段１４に送る。このＩＤ情報は、送信手段１４を経由し、アンテナＡ１を介して送信され、受信装置２０により受信される。
【００２６】
図２は、本発明の第２の実施例である受信装置２０を示す回路図である。
【００２７】
受信装置２０は、ＩＤ情報を受信する装置であり、アンテナＡ２と、受信手段２１と、記憶手段２２と、信号処理手段２３と、送信手段２４と、クロック発生手段２５とを有する。
【００２８】
受信装置２０において、クロック発生手段２５がクロックを作り、信号処理手段２３に送る。信号処理手段２３は、クロックを使用して、ＩＤ送信命令信号を作り出し、送信手段２４に送る。送信手段２４は、アンテナＡ２を経由し、ＩＤ送信命令を、送信装置１０に送信する。
【００２９】
次に、上記実施例の動作について説明する。
【００３０】
図３は、上記実施例の原理を示す図である。
【００３１】
受信装置２０は、送信装置１０にクロックを送る。このクロックは、送信装置１０に電力を供給する電力供給信号であり、また、送信装置１０自身のＩＤ情報を送信することを送信装置１０に命令するＩＤ送信命令でもある。
【００３２】
送信装置１０は、受信装置２０からクロックを受信し、この受信したクロックを使用するので、ＰＬＬ回路等の発信器を内蔵していない。また、送信装置１０は、ＩＤ送信命令を受信すると、その内部で、Ｍ個の乱数を作り出し、受信したクロックをカウンタが数え、このカウンタの値と、上記乱数の値とが一致した場合に、ＩＤ情報を送信する。つまり、送信装置１０は、ＩＤ情報を、Ｍ回送信する。
【００３３】
受信装置２０が、クロックを含むＩＤ情報送信命令を、送信装置１０に送る。送信装置１０は、図３に示すＡ期間中に送られたＩＤ送信命令から、自己を動作させるための電力を作り出し、送信装置１０を構成する各部に電力を供給し、ＩＤを送信する準備を行なう。
【００３４】
次に、ＩＤ送信命令が、長い０の期間を経て、１に変化する立ち上がりタイミングを契機に、信号処理手段１２が、クロックをカウントする。このクロックのカウント数が、送信装置１０自身が作り出した５つの乱数（図３に示す例では、５、８、１４、１８、１２７）とそれぞれ一致すると、この一致したときに、送信装置１０が、自己のＩＤ情報を、受信装置２０に送信する。
【００３５】
受信装置２０は、同じＩＤ情報を２回以上受信した場合にのみ、上記２回以上受信したＩＤ情報が、有効なＩＤ情報であると認識し、同じＩＤ情報を受信しなければ、エラーとし、ＩＤ情報を再度送信するように、送信装置１０に、ＩＤ情報送信命令を送る。
【００３６】
上記実施例において、クロック数をＮ、乱数発生手段１５が発生した乱数の数をＭ個とし、たとえばＮ＝１２８、Ｍ＝５である場合に、混信が発生する確率について説明する。
【００３７】
互いに異なる２つの送信装置１０が、５回とも同じタイミングでＩＤ情報を発信する確率は、１／１２８Ｐ５＝１／３．１×１０１０であり、４回とも同じタイミングでＩＤ情報を発信する確率は、１／１２８Ｐ４＝１／２５６０３２０００であり、３回とも同じタイミングでＩＤ情報を発信する確率は、１／１２８Ｐ３＝１／２０４８２５６である。また、互いに異なるＫ個の送信装置１０が存在する環境において、ＩＤ信号が３回重なる確率は、（Ｋ−１）３／１２８Ｐ３＝１／２０４８２５６になる。
【００３８】
したがって、互いに異なる２つの送信装置１０が混在する環境（Ｋ＝２）において、ＩＤ信号が、３回とも重なる確率は、１／２０４８２５６であり、混信によってＩＤ情報が取得できないという不具合が発生する確率は、非常に少ない。
【００３９】
また、送信装置１０が１１個混在する環境であっても（Ｋ＝１０）、９３／２０４８２５０＝１／２８０９と非常に低い。送信装置１０が１個しかない場合は、同じＩＤ情報を５回受信することになるので、たとえノイズが多い環境下であっても、その耐雑音性能が高いというメリットがある。
【００４０】
さらに、送信装置１０の台数（Ｋの数）が多い場合であっても、クロック数Ｎの数を上げれば、充分に対応することができる。たとえば、Ｎ＝１０００、Ｍ＝５とすれば、互いに異なるＫ個の送信装置１０からの信号が３回重なる確率は、（Ｋ−１）３／１０００Ｐ３＝（Ｋ−１）３／９９７００２０００であり、ｋ＝１００の場合でも、１／１０２７であるので、混信する確率は、非常に低い。これは、上記実施例が拡張性を有することを意味している。
【００４１】
次に、上記実施例において、電池を内蔵しない（外部から電源が供給される）送信装置１０から、そのＩＤ情報を受信する受信装置２０の動作について説明する。
【００４２】
図４は、上記実施例において、電池を内蔵しない送信装置１０から、そのＩＤ情報を受信する受信装置２０の動作を示すフローチャートである。
【００４３】
まず、Ｓ２００では、受信装置２０が、クロックを含むＩＤ送信命令を、送信装置１０に発信する。Ｓ２０１では、送信装置１０が送信したＩＤ情報を受信し、Ｓ２０２では、受信したＩＤ情報を記憶し、Ｓ２０３では、記憶したＩＤ情報を読み出し、Ｓ２０４では、同じＩＤが２つ以上あるかどうかを調べる。
【００４４】
同じＩＤが２つ以上存在しない場合は、Ｎｏに飛び、エラーと判断し、再度Ｓ２００で、ＩＤ送信命令を送信する。同じＩＤが２つ以上存在した場合、Ｙｅｓに飛び、Ｓ２０５では、該当するＩＤを全て出力する。
【００４５】
次に、上記実施例において、電池を内蔵しない（外部から電源が供給される）送信装置１０における動作について説明する。
【００４６】
図５は、上記実施例において、電池を内蔵しない送信装置１０の動作を示すフローチャートである。
【００４７】
ＩＤ送信命令を受け取った送信装置１０は、Ｓ２１０では、ＩＤ送信命令からクロックを作り出す。クロックのスタートタイミングに合わせ、Ｓ２１１では、カウンタがスタートする、Ｓ２１２では、比較手段が、クロックのカウント数とＳ２１９の乱数の値とを比較する。
【００４８】
Ｓ２１３では、これらの値が一致するかどうかを判断し、一致しなかった場合に、Ｎｏに飛び、カウンタ値と乱数とを比較する。一致した場合は、Ｙｅｓに飛び、Ｓ２１４では、ＩＤ情報を受信装置２０に送信する。Ｓ２１５では、ＩＤ送信回数をカウントし、ＩＤ情報をＭ回送信したら、Ｙｅｓに飛び、動作を終了する。ＩＤ送信が、Ｍ回未満であれば、Ｎｏに飛ぶ。
【００４９】
次に、上記実施例において、乱数の発生手順について説明する。
【００５０】
Ｓ２１７では、Ｍ個の乱数を発生させ、小さい順に並べる。Ｓ２１８では、Ｋ＝１を設定し、Ｓ２１９では、１番目の乱数を呼び出す。Ｓ２１６では、送信回数がＭ回未満である場合、Ｓ２１６では、Ｋ＝Ｋ＋１の計算を行い、Ｋ＝２になった後、Ｓ２１９では、２番目の乱数を選択し、Ｓ２１２では、クロックのカウント数と比較される。
【００５１】
送信装置１０が送信したＩＤ情報は、図２に示す受信装置２０のアンテナＡ２を経由し、受信手段２１が受信し、ＩＤ情報が記憶手段２２に記憶される。信号処理手段２３は、記憶手段２２を呼び出し、受信したＩＤ情報を比較し、同じＩＤ情報を２回以上受信した場合、そのＩＤ情報を、受信ＩＤ情報であると認め、出力する。同じＩＤ情報が２回以上受信できなければ、ＩＤ送信命令を再度送信する。
【００５２】
再度ＩＤ送信命令を受信した送信装置１０は、乱数発生手段１５が前回とは違うＭ個の乱数を発生し、これに基づいて、ＩＤ情報等を発信する。つまり、ＩＤ情報を送信した後に、新たな乱数を発生し、この発生した乱数に基づいて、ＩＤ情報を再送信するタイミングを定め、ＩＤ情報を再送信することによって、混信の再発を防止する。
【００５３】
図６は、本発明の第２の実施例である送信装置３０を示す回路図である。
【００５４】
送信装置３０は、送信装置１０において、乱数発生手段１５を設ける代わりに、Ｌ個の数字が記録されている記憶手段３６を設けたものである。
【００５５】
つまり、送信装置３０は、アンテナＡ３と、受信手段３１と、信号処理手段３２と、電源手段３３と、送信手段３４と、記憶手段３６とを有する。
【００５６】
図７は、上記実施例において、Ｌ個の数字とＩＤ情報とが記憶手段３６に記憶されている例を示す図である。
【００５７】
Ｌ個の数字は、図１の乱数発生手段１５が発生する乱数とほぼ同じ機能を果たす。ＩＤ送信命令がアンテナＡ３で受信され、電源手段３３で電力を作り出し、各部に供給する。電源手段３３から受け取った電力を元に、受信手段３１が上記のＩＤ送信命令を受信し、その中から、クロック情報を引き出し、信号処理手段３２に送る。
【００５８】
信号処理手段３２は、受け取ったクロック情報にタイミングを合わせて、クロックをカウントする。同時に、Ｌ個の中から順に、Ｍ個の数字を選択し、小さい順に並べる。これらのＭ個の数字と、タイミング信号をカウントした数とを比較し、一致した場合に、記憶手段３６から呼び出したＩＤ情報を、送信手段３４に送り、送信手段３４が、アンテナＡ３を経由し、受信装置２０にＩＤ情報を送信する。
【００５９】
また、Ｌの値をＭの非整数倍に設定すれば、Ｌ個の数字からＭ個を選択する際に、組み合わせのずれが発生するので、（Ｌ／Ｍ）＋１回ごとに、同じ組み合わせが生じないようにすることができる。
【００６０】
図８は、送信装置３０の動作を示すフローチャートである。
【００６１】
なお、送信装置３０を使用する場合、受信装置２０を使用する。
【００６２】
Ｓ７０１では、受信したＩＤ送信命令から、クロックを復号する。Ｓ７０２では、カウンタ手段がスタートし、クロック数を数える。Ｓ７０３では、Ｓ７０８で選択された数字と、Ｓ７０２でカウントしているカウンタ数とを比較する。Ｓ７０４では、これらが一致したと判断された場合、Ｙｅｓに飛び、ＩＤ情報を送信する。一致しなければ、Ｎｏに飛び、次のクロックカウント数との間で、数字を比較する。
【００６３】
Ｓ７０５では、ＩＤ情報を送信した後に、Ｓ７０６では、ＩＤ送信回数をカウントし、Ｍ回ならば、Ｙｅｓに飛び、動作を終了させる。Ｍ回未満であれば、Ｎｏに飛ぶ。
【００６４】
Ｓ７０７では、Ｋ＝１が設定される。Ｓ７０８では、Ｌ個の数字の中から、最初のＭ個の数字が選ばれ、小さい順に並べ替えられる。このＭ個の数字の１個目が選ばれ、Ｓ７０３では、カウンタ数と比較される。Ｓ７０６では、ＩＤ送信回数がＭ回未満であれば、Ｎｏに飛び、Ｓ７０９でＫ＝Ｋ＋１が設定され、Ｋ＝２になり、Ｓ７０８では、２個目の数字が選び出される。
【００６５】
上記実施例によれば、ＩＤ情報等を複数回送信し、受信装置２０が同じ情報を２度以上受信できれば、有効なＩＤ情報と判断する仕組みであり、これによって、ノイズ耐性が強化される。また、ＩＤ情報をＭ回送信する度に、ＩＤ送信タイミングを変化させるので、混信が発生する確率が低減される。
【００６６】
また、上記実施例を、次の実施形態として把握することができる。
【００６７】
［実施形態１］  送信装置において、
互いに重複しないＭ個の数字（Ｍは任意の整数）を発生する数字発生手段と；
無線信号を受信する受信手段と；
上記受信手段が受信した無線信号の中から、クロックを復号するクロック復号手段と；
上記復号したクロックをカウントするクロックカウント手段と；
上記カウントされたクロックの数と上記Ｍ個の数字とを比較する比較手段と；
上記カウントされたクロックの数と、上記Ｍ個の数字とが一致したときに、上記送信装置自身のＩＤ情報を送信するＩＤ情報送信手段と；
を有することを特徴とする送信装置。
【００６８】
［実施形態２］  実施形態１において、
上記送信装置のＩＤ情報を送信するタイミングを決定し、互いに重複しないＬ個の数字（Ｌは、Ｌ＞Ｍを満足する任意の整数）を発生する第２の数字発生手段と；
上記Ｌ個の数字と上記ＩＤ情報とを記憶手段に記憶する記憶手段と；
を有することを特徴とする送信装置。
【００６９】
［実施形態３］  実施形態２において、
上記Ｌ個の数の中から、Ｍ個の数字を選択するＭ個の数字選択手段と；
上記選択されたＭ個の数字を、小さい順に配列する配列手段と；
上記ＩＤ情報を送信した後に、上記Ｌ個の数の中から、Ｍ個の数字を選択するＭ個の数字選択手段と；
を有することを特徴とする送信装置。
【００７０】
［実施形態４］  実施形態２または実施形態３において、
上記数Ｌを上記数Ｍで割った値が整数にならないように、上記Ｌの値を決定することを特徴とする送信装置。
【００７１】
［実施形態５］  所定の送信装置にクロックと電力とを供給する信号を送信する送信手段と；
上記所定の送信装置から受信したＩＤ情報を、全て記憶する記憶手段と；
上記記憶手段が記憶しているＩＤ情報を全て呼び出し、同一のＩＤを２回以上受信したことを検出する検出手段と；
上記２回以上受信したＩＤ情報を、ＩＤ信号として出力するＩＤ信号出力手段と；
同じＩＤ信号が２個未満である場合は、エラーとして判断し、再度、上記所定の送信装置に、ＩＤ情報を送信するように命令を送信する命令送信手段と；
を有することを特徴とする受信装置。
【００７２】
［実施形態６］  送信装置において、
重複しないＭ個の数字（Ｍは任意の整数）を順次選択する数字選択手段と；
無線信号を受信する受信手段と；
上記受信手段が受信した無線信号の中から、相手装置から送られてきたクロックを復号するクロック復号手段と；
上記復号したクロックをカウントするクロックカウント手段と；
上記カウントされたクロックの数と上記順次選択された数字とを比較する比較手段と；
上記カウントされたクロックの数と、上記順次選択された数字とが一致したときに、上記送信装置自身の識別情報を送信するＩＤ情報送信手段と；
を有することを特徴とする送信装置。
【００７３】
［実施形態７］  実施形態６において、
上記Ｍ個の数字を発生する数字発生手段を有し、
上記選択手段は、上記数字発生手段が発生した数字を順次選択することを特徴とする送信装置。
【００７４】
［実施形態８］  実施形態６において、
上記ＩＤ情報送信手段は、上記カウントされたクロックの数と、上記順次選択された数字とが一致毎に、上記識別情報を送信することを特徴とする送信装置。
【００７５】
［実施形態９］  所定の送信装置にクロックと電力とを供給する信号を送信する送信手段と；
上記所定の送信装置から受信した識別情報を、記憶する記憶手段と；
上記記憶手段が記憶している識別情報を呼び出し、同一の識別を２回以上受信したことを検出する検出手段と；
上記２回以上受信した識別情報を、ＩＤ信号として出力するＩＤ信号出力手段と；
同じＩＤ信号が２個未満である場合は、エラーとして判断し、再度、上記所定の送信装置に、識別情報を送信するように命令を送信する命令送信手段と；
を有することを特徴とする受信装置。
【００７６】
【発明の効果】
本発明によれば、ＩＤ情報を送信する送信装置に囲まれている環境下でも、個々のＩＤ情報を受信装置が正確に受信することができるという効果を奏し、また、ＩＤデータを送信してくる送信装置が１つしかない場合でも、ノイズ耐性が高まり、信頼性の高いＩＤ情報取得手段であるという効果を奏し、さらに、送信装置の数が増えても、パラメータを変更するだけで、対応することができる拡張性を有するという効果を奏する。
【図面の簡単な説明】
【図１】本発明の第１の実施例である送信装置１０を示す回路図である。
【図２】本発明の第２の実施例である受信装置２０を示す回路図である。
【図３】上記実施例の原理を示す図である。
【図４】上記実施例において、電池を内蔵しない送信装置１０から、そのＩＤ情報を受信する受信装置２０の動作を示すフローチャートである。
【図５】上記実施例において、電池を内蔵しない送信装置１０の動作を示すフローチャートである。
【図６】本発明の第３の実施例である送信装置３０を示す回路図である。
【図７】上記実施例において、Ｌ個の数字とＩＤ情報とが記憶手段３６に記憶されている例を示す図である。
【図８】送信装置３０の動作を示すフローチャートである。
【符号の説明】
１０、３０…送信装置、
２０…受信装置、
Ａ１、Ａ２、Ａ３…アンテナ、
１１、２１、３１…受信手段、
１２、２３、３２…信号処理手段、
１３、３３…電源手段、
１４、２４、３４…送信手段、
１５…乱数発生手段、
１６、２２、３６…記憶手段。
【図１】
2004274252.tif 000003
【図２】
2004274252.tif 000004
【図３】
2004274252.tif 000005
【図４】
2004274252.tif 000006
【図５】
2004274252.tif 000007
【図６】
2004274252.tif 000008
【図７】
2004274252.tif 000009
【図８】
2004274252.tif 000010